(57)【要約】【課題】複数種類の所有者に関わる情報を保持し、物品の状況を正確に把握する管理システム及び管理方法を提供する。【解決手段】管理システム１は、物品を管理する管理者を決定する管理者決定部３０と、無線タグリーダ６０による無線タグの検出に基づいて、物品に関わる使用者を決定する使用者決定部４０と、無線タグを一意に識別する無線タグ識別子と、管理者と、使用者とを対応付けて保持する属性情報保持部５０とを備える。【選択図】図１
2005309844.tif 000002
【特許請求の範囲】
【請求項１】
無線タグが付与された物品を管理するシステムであって、
前記物品を管理する管理者を決定する管理者決定手段と、
無線タグリーダによる前記無線タグの検出に基づいて、前記物品に関わる使用者を決定する使用者決定手段と、
前記無線タグを一意に識別する無線タグ識別子と、前記管理者と、前記使用者とを対応付けて保持する属性情報保持手段と
を備えることを特徴とする管理システム。
【請求項２】
所定の無線タグリーダが無線タグを検出した場合、あるいは所定のセンサが無線タグを検出した場合、前記管理者決定手段は、当該検出に基づいて、新たな管理者を決定し、
前記属性情報保持手段は、前記新たな管理者を保持することを特徴とする請求項１に記載の管理システム。
【請求項３】
前記使用者決定手段は、所定の無線タグリーダによる検出、あるいは所定のセンサによる検出に基づき、前記使用者毎に前記物品との関係度合いを示す使用者レベルを設定し、
前記属性情報保持手段は、前記使用者と前記使用者レベルを対応付けて保持することを特徴とする請求項１又は２に記載の管理システム。
【請求項４】
無線タグが付与された物品を管理する方法であって、
前記物品を管理する管理者を決定するステップと、
無線タグリーダによる前記無線タグの検出に基づいて、前記物品に関わる使用者を決定するステップと、
前記無線タグを一意に識別する無線タグ識別子と、前記管理者と、前記使用者とを対応付けて保持するステップと
を備えることを特徴とする管理方法。
【発明の詳細な説明】
【技術分野】
【０００１】
本発明は、無線タグが付与された物品を管理する管理システム及び管理方法に関する。
【背景技術】
【０００２】
従来、無線タグが付与された物品において、無線タグ識別子（無線タグＩＤ）に対応付けられた属性情報（例えば、所有者情報など）をもとにサービスを提供したり、情報を提供したりする方法が提案されている。
【０００３】
例えば、電車の乗客に無線タグが付与されており、乗客が新幹線に乗り込むときに新幹線のドアに設置されている無線タグリーダが当該無線タグを検出し、データベースに無線タグを保持する所有者の氏名や所持品を登録しておくことにより、車掌はそのデータベースを参照し、乗客の中から医者や薬を持っている人を探す方法が開示されている（例えば、特許文献１参照）。又、物品が不法投棄された場合に、当該物品に付与されている無線タグから所有者を特定してその者に責任を取らせる、あるいはその物品が紛失されたものであるような場合に、所有者に返還するシステムが開示されている（例えば、特許文献２参照）。
【特許文献１】特開２００４−３２５８７号公報
【特許文献２】特開２００３−２６３６１１号公報
【発明の開示】
【発明が解決しようとする課題】
【０００４】
上述した従来技術は、一つの物品の所有者として、一人もしくは一つの団体（会社等）を設定することしかできなかった。あるいは、複数の所有者を設定しても、それら複数の所有者は対等な立場で並列して記述されるため、単に通知する先や検索結果が複数になるだけであった。
【０００５】
このため、例えば、所有する物品を他人に貸与した場合や運搬会社が委託先から委託されて物品を運搬している場合などにおいては、所有者以外の者が物品を保持する立場となり、物品の状況を正確に把握することは困難であった。
【０００６】
そこで、本発明は、上記の課題に鑑み、複数種類の所有者に関わる情報を保持し、物品の状況を正確に把握する管理システム及び管理方法を提供することを目的とする。
【課題を解決するための手段】
【０００７】
上記目的を達成するため、本発明の第１の特徴は、無線タグが付与された物品を管理するシステムであって、（イ）物品を管理する管理者を決定する管理者決定手段と、（ロ）無線タグリーダによる無線タグの検出に基づいて、物品に関わる使用者を決定する使用者決定手段と、（ハ）無線タグを一意に識別する無線タグ識別子と、管理者と、使用者とを対応付けて保持する属性情報保持手段とを備える管理システムであることを要旨とする。ここで、「管理者」及び「使用者」は、自然人に限らず、法人やその他の団体等でも構わない。
【０００８】
第１の特徴に係る管理システムによると、管理者情報と使用者情報という複数種類の所有者に関わる情報を保持するため、物品の状況を正確に把握することができる。このため、物品の状況に応じて適切なサービスを実施することができる。
【０００９】
又、第１の特徴に係る管理システムにおいて、所定の無線タグリーダが無線タグを検出した場合、あるいは所定のセンサが無線タグを検出した場合、管理者決定手段は、当該検出に基づいて、新たな管理者を決定し、属性情報保持手段は、新たな管理者を保持してもよい。この管理システムによると、物品が購入されたり廃棄されたりした場合、新たな管理者を設定することができる。
【００１０】
又、第１の特徴に係る管理システムにおいて、使用者決定手段は、所定の無線タグリーダによる検出、あるいは所定のセンサによる検出に基づき、使用者毎に物品との関係度合いを示す使用者レベルを設定し、属性情報保持手段は、使用者と使用者レベルを対応付けて保持してもよい。この管理システムによると、関係度合いを保持することにより、関係度合いに応じたサービスを実施することができる。
【００１１】
本発明の第２の特徴は、無線タグが付与された物品を管理する方法であって、（イ）物品を管理する管理者を決定するステップと、（ロ）無線タグリーダによる無線タグの検出に基づいて、物品に関わる使用者を決定するステップと、（ハ）無線タグを一意に識別する無線タグ識別子と、管理者と、使用者とを対応付けて保持するステップとを備える管理方法であることを要旨とする。
【００１２】
第２の特徴に係る管理方法によると、管理者情報と使用者情報という複数種類の所有者に関わる情報を保持するため、物品の状況を正確に把握することができる。
【発明の効果】
【００１３】
本発明によると、複数種類の所有者に関わる情報を保持し、物品の状況を正確に把握する管理システム及び管理方法を提供することができる。
【発明を実施するための最良の形態】
【００１４】
次に、図面を参照して、本発明の実施の形態を説明する。以下の図面の記載において、同一または類似の部分には、同一または類似の符号を付している。ただし、図面は模式的なものであることに留意すべきである。
【００１５】
（管理システム）
本実施形態に係る管理システムは、無線タグが付与されている物品の所有者情報として管理者と使用者という２つの属性をデータベースに設定する。無線タグは、例えば、ＲＦ−ＩＤ（Radio Frequency Identification）などからなり、無線タグを一意に識別する無線タグ識別子（無線タグＩＤ）を保持し、ＩＤに応じた所定の周波数の送信信号を一定間隔で、送信アンテナを介して送信する。
【００１６】
本実施形態に係る管理システムは、図１に示すように、登録部１０と、情報取得部２０と、管理者決定部３０と、使用者決定部４０と、属性情報保持部５０と、無線タグリーダ６０とを備える。
【００１７】
登録部１０は、物品に無線タグが付与された時に、管理者情報を属性データベースに登録する。「管理者」とは、当該物品を管理する人であり、具体的には、当該物品を廃棄する権利を有する人（法人、団体等を含む）である。具体的には、図２に示すように、登録者７０がパソコン等の入力機器８０を使用して登録することができる。例えば、登録部１０はウェブサーバとなり、無線タグリーダ６１が無線タグ１０１を検出すると、入力機器８０が登録部１０にアクセスし、図３に示すように画面が表示される。登録者７０は、管理者の部分を入力し、データを「送信」すると、登録部１０を通して属性情報保持部５０に管理者情報が登録される。
【００１８】
又、その他、環境や物品に付与されたカメラ等のセンサを用いて、画像解析により物品に無線タグを付与した人と、無線タグの表面に刻印されている無線タグ識別子とを認識して、属性データベースに管理者を登録してもよい。
【００１９】
属性情報保持部５０は、図４に示すように、無線タグ識別子と、管理者情報と、使用者情報と、使用者レベルとを対応付けて属性データベースとして保持する。具体的には、属性データベースは、無線タグ識別子が格納される領域５０ａと、管理者が登録される領域５０ｂと、使用者が登録される領域５０ｃと、使用者レベルが登録される領域５０ｄとを有する。
【００２０】
情報取得部２０は、無線タグリーダ６０及びセンサ２０１、２０２、２０３から、物品に関する情報を受信すると、それらの情報を管理者決定部３０及び使用者決定部４０に送信する。送信するタイミングは、無線タグリーダ６０やセンサ２０１、２０２、２０３から情報を取得した際でもよく、一定間隔（例えば、１分間隔）毎でもよい。尚、センサ２０１、２０２、２０３としては、カメラ、カードリーダの他、物の状態を感知するセンサ（例えば、傾きセンサ、温度センサ）などが挙げられる。
【００２１】
管理者決定部３０は、物品を管理する管理者、具体的には、物品を廃棄する権利を有する管理者を決定する。具体的には、管理者決定部３０は、情報取得部２０から受信した情報をもとに、物品に対する管理者を変更するかどうかを判定する。そして、変更する必要がある場合は、管理者決定部３０は、情報取得部２０から受信した情報をもとに新しい管理者を決定し、属性情報保持部５０に登録する。
【００２２】
物品の管理者を変更する判定条件の１つとしては、当該物品が売買されたときが挙げられる。具体的には、スーパーマーケットにおいて、レジにある無線タグリーダ６０で購入物品に付与された無線タグ識別子を検出し、支払い時にクレジットカードをカードリーダ（センサ２０１、２０２、２０３）に通すとそれらの情報が情報取得部２０に送られる。管理者決定部３０はそれらの情報を情報取得部２０から受信することにより、当該物品を購入しようとしていることを認識でき、当該物品の管理者を変更することを決定する。
【００２３】
上述の例において、初めは物品に付与されている無線タグに対する管理者情報にはスーパーマーケットが登録されているが、購入物品に付与されている無線タグ識別子とクレジットカードに登録されている物品購入者の情報から、管理者決定部３０は当該無線タグに対する管理者が物品購入者に変更されたことを決定し、属性データベースに変更を登録する。
【００２４】
物品の管理者を変更する他の判定条件としては、当該物品が捨てられたときが挙げられる。具体的には、街中にあるゴミ収集場所に物品を捨てた場合、ゴミ収集場所に設置されている無線タグリーダ６０が当該物品に付与された無線タグを検出して、情報取得部２０へ送信する。管理者決定部３０はそれらの情報を情報取得部２０から受信することにより、当該物品が捨てられたことを認識でき、当該物品の管理者を変更することを決定する。
【００２５】
上述の例において、初めは物品に付与されている無線タグに対応する管理者には当該物品を購入した人が登録されている。又、ゴミ収集場所には、その場所を管理する市区町村が登録されている。その登録方法は、ゴミ収集場所に市区町村を示す無線タグが付与されており、当該物品の無線タグとゴミ収集場所に付与された市区町村を示す無線タグが同時に検出されたときに当該物品の管理者の変更を決定してもよく、もしくは、ゴミ収集場所に設置されている無線タグリーダ６０にあらかじめ市区町村の情報が割り当てられており、当該無線タグリーダ６０で検出した無線タグ識別子とともに無線タグリーダに割り当てられた市区町村の情報を一緒に通知することで管理者の変更を決定してもよい。
【００２６】
物品の管理者を変更する更に他の判定条件としては、当該物品が譲渡したときが挙げられる。具体的には、物品が人から人に譲渡された場合、携帯電話などについている無線タグリーダ６０が新しい管理者を検出して、情報取得部２０へ送信する。管理者決定部３０はそれらの情報を情報取得部２０から受信することにより、当該物品が譲渡されたことを認識でき、当該物品の管理者を変更することを決定する。
【００２７】
しかしながら、譲渡の場合、貸与との差がシステムとしては判断しにくいという問題がある。そこで、例えば、物品を譲渡された人が、自身が持っている無線タグリーダ付携帯電話を操作し、譲渡モードにしてから、携帯についている無線タグリーダで当該物品の無線タグを読み込ませる。そして、携帯電話から情報取得部２０へ無線タグ識別子及び携帯電話の情報（「譲渡モード」の情報も含む）が送信されると、情報取得部２０はその情報を管理者決定部３０に通知し、管理者決定部３０では、当該物品が譲渡されたことを認識し、当該物品の管理者を変更することを決定してもよい。
【００２８】
一方、使用者決定部４０は、無線タグリーダによる無線タグの検出に基づいて、物品に関わる使用者を決定する。又、使用者決定部４０は、情報取得部２０から受信した情報をもとに物品に対する使用者を変更するかどうかを判定し、変更する必要がある場合は、情報取得部２０から受信した情報をもとに新しい使用者及び使用者レベルを決定し、属性情報保持部５０に登録する。
【００２９】
「使用者」とは、当該物品と何らかの関係がある人（法人、団体等を含む）を表し、その関係の度合いを使用者レベルで表現する。使用者レベルは、レベル１が最も関係度合いが低く、レベルがあがるにつれ増大し、レベル６が最も関係が深いことを示す。各使用者レベルには、それを満たすための条件があり、その条件をクリアした場合に、当該使用者レベルとなる。
【００３０】
図５に使用者レベル同士の関係を示す。使用者レベルが高いものは低い使用者レベルの条件も満たしている。例えば、使用者レベル２は使用者レベル１の条件も必ず満たしていなくてはならない。一方、使用者レベル３は、使用者レベル１、２を満たしている場合と、使用者レベル１、２は満たさず、使用者レベル３だけを満たす場合もある。このように、各使用者についてレベル分けを行うことにより、使用者と物品との関係も表すことができる。
【００３１】
次に、各使用者レベルの条件について示す。
【００３２】
使用者レベル１の条件は「近接」であり、人が物品の近くにいる場合に、当該物品に対する使用者の使用者レベル１となる。具体的には、無線タグリーダ６０が人に付与された無線タグと物品に付与された無線タグとを同時に検出することが挙げられる。
【００３３】
使用者レベル２の条件は「近接時間」であり、人が物品の近くに一定時間以上いる場合に、当該物品に対する使用者の使用者レベルは２となる。具体的には、無線タグリーダ６０が人に付与された無線タグと物品に付与された無線タグを一定時間（例えば、３０秒）以上、一緒に検出することが挙げられる。
【００３４】
使用者レベル３の条件は「気づき」であり、人が物品の存在に気づいて、それに注意を払っている場合に、当該物品に対する使用者の使用者レベルは３となる。具体的には、人に付与された無線タグで人の行動履歴を取得したときに、物品に向かってまっすぐに歩いてきた場合や、物品の周りをウロウロしている場合が挙げられる。もしくは、テレビを見るための専用のソファに付与された無線タグと人に付与された無線タグとを同時に検出した場合には、ソファに座ってテレビについて注意を払っていることとなる。
【００３５】
使用者レベル３については、使用者レベル１及び２を満たす場合と使用者レベル３だけを満たす場合がある。上述の３つの例のうち、最初の２つは人が物品の近くにいるので、使用者レベル１、２も満たすが、最後の例では、人は必ずしも物品の近くにいるとは限らない。
【００３６】
使用者レベル４の条件は「手に持つ」であり、人が物品を手にとった場合に、当該物品に対する使用者の使用者レベルは４となる。具体的には、棚に設置された無線タグリーダ６０が棚に置いてある物品を検出することができなくなり、かつ携帯電話の無線タグリーダが人に付与されたタグと物品に付与された無線タグとを同時に検出することが挙げられる。
【００３７】
使用者レベル５の条件は「保持」であり、人が物品を持っている場合に、当該物品に対する使用者の使用者レベルは５となる。具体的には、携帯電話の無線タグリーダ６０が人に付与された無線タグと物品に付与された無線タグとを一定時間（例えば、１分）以上、一緒に検出することが挙げられる。
【００３８】
使用者レベル６の条件は「使用」であり、人が物品を使用している場合に、当該物品に対する使用者の使用者レベルは６となる。具体的には、エアコンや冷蔵庫等の家電製品であれば、電源が入っているか否かをセンサ２０１、２０２、２０３なども用いてチェックすることで、当該物品を使用しているか否かを判定したり、鉛筆などであれば、鉛筆に付与された傾きセンサ２０１、２０２、２０３から当該物品を使用しているか否かを判定したり、カップであれば、温度センサ２０１、２０２、２０３からカップに飲み物が入っているかどうかを検出することでカップを使用しているか否かを判定する。一方、乾いた雑巾で床を拭いているような場合、センサを用いても雑巾を使用しているか否かを判定することは難しい。そのような場合、環境に設置されたカメラ等において人の行為を撮影し、それを画像解析することによって判定してもよい。
【００３９】
又、本実施形態に係る管理システム１は、処理制御装置（ＣＰＵ）を有し、情報取得部２０、管理者決定部３０、使用者決定部４０などをモジュールとしてＣＰＵに内蔵する構成とすることができる。これらのモジュールは、パーソナルコンピュータ等の汎用コンピュータにおいて、所定のプログラム言語を利用するための専用プログラムを実行することにより実現することができる。
【００４０】
又、属性情報保持部５０は、管理者情報や使用者情報などの物品に対する属性情報を保存する記録媒体である。記録媒体は、例えば、ＲＡＭ、ＲＯＭ、ハードディスク、フレキシブルディスク、コンパクトディスク、ＩＣチップ、カセットテープなどが挙げられる。このような記録媒体によれば、属性情報データの保存、運搬、販売などを容易に行うことができる。
【００４１】
又、図示していないが、管理システム１は、管理者決定処理、使用者決定処理などを処理制御装置（ＣＰＵ）に実行させるための管理プログラムを保存するプログラム保持部を備えてもよい。プログラム保持部は、例えば、ＲＡＭ、ＲＯＭ、ハードディスク、フレキシブルディスク、コンパクトディスク、ＩＣチップ、カセットテープなどの記録媒体である。このような記録媒体によれば、管理プログラムの保存、運搬、販売などを容易に行うことができる。
【００４２】
（管理方法）
次に、本実施形態に係る管理方法について、図６〜図９を用いて説明する。
【００４３】
（イ）まず、ステップＳ１０１において、物品に無線タグを付与すると、ステップＳ１０２において、ユーザによる入力などにより登録部１０が属性情報保持部５０に物品の管理者を登録する。次に、ステップＳ１０３において、情報取得部２０は、無線タグリーダ６０が検出した無線タグ１０１、１０２、１０３、１０４の情報やセンサ２０１、２０２、２０３の情報を取得する。そして、それらの情報を管理者決定部３０及び使用者決定部４０に送信する。
【００４４】
（ロ）次に、ステップＳ１０４において、管理者決定部３０は取得した情報により、物品が売買されたか否かを判定する。物品が売買された場合は、ステップＳ１０７へ進み、新しい管理者を決定し、管理者の変更を行う。一方、物品が売買されなかった場合は、ステップＳ１０５へ進み、物品が捨てられたか否かを判定する。物品が捨てられた場合は、ステップＳ１０７へ進み、新しい管理者を決定し、管理者の変更を行う。一方、物品が捨てられなかった場合は、ステップＳ１０６へ進み、物品が譲渡されたか否かを判定する。物品が譲渡された（譲渡モードを受信した）場合は、新しい管理者を決定し、管理者の変更を行う。又、物品が譲渡されなかった場合は、管理者の変更を行わず、ステップＳ１０８へ進む。
【００４５】
（ハ）次に、使用者の変更処理を行う。まず、ステップＳ１０８において、使用者決定部４０は、情報取得部２０から受信した情報をもとに上述した使用者レベル１の条件を満たすか否かを判定する。使用者レベル１の条件を満たさない場合は、図８のステップＳ１２２へ進む。一方、使用者レベル１の条件を満たす場合は、ステップＳ１０９へ進む。ステップＳ１０９において、使用者決定部４０は、上述した使用者レベル２の条件を満たすか否かを判定する。使用者レベル２の条件を満たさない場合は、ステップＳ１１０において、当該使用者を使用者レベル１に設定し、図９のステップＳ１２６へ進む。一方、使用者レベル２を満たす場合は、図７のステップＳ１１１へ進む。
【００４６】
（ニ）図７のステップＳ１１１において、使用者決定部４０は、上述した使用者レベル３の条件を満たすか否か判定する。使用者レベル３の条件を満たさない場合は、ステップＳ１１２において、当該使用者を使用者レベル２に設定し、図９のステップＳ１２６へ進む。一方、使用者レベル３の条件を満たす場合は、ステップＳ１１３において、使用者決定部４０は、上述した使用者レベル４の条件を満たすか否か判定する。使用者レベル４の条件を満たす場合は、ステップＳ１１７へ進む。一方、使用者レベル４の条件を満たさない場合は、ステップＳ１１４において、使用者決定部４０は、上述した使用者レベル６の条件を満たすか否か判定する。使用者レベル６の条件を満たさない場合は、ステップＳ１１５において、当該使用者を使用者レベル３に設定し、図９のステップＳ１２６へ進む。一方、使用者レベル６の条件を満たす場合は、ステップＳ１１６において、当該使用者を使用者レベル６に設定し、図９のステップＳ１２６へ進む。
【００４７】
（ホ）一方、ステップＳ１１３において、使用者レベル４の条件を満たす場合、ステップＳ１１７において、使用者決定部４０は、使用者レベル５の条件を満たすか否かを判定する。使用者レベル５の条件を満たさない場合は、ステップＳ１１８において、当該使用者を使用者レベル４に設定し、図９のステップＳ１２６へ進む。一方、使用者レベル５の条件を満たす場合は、ステップＳ１１９において、使用者決定部４０は、使用者レベル６の条件を満たすか否か判定する。使用者レベル６の条件を満たさない場合は、ステップＳ１２０において、当該使用者を使用者レベル５に設定する。一方、使用者レベル６の条件を満たす場合は、ステップＳ１２１において、当該使用者を使用者レベル６に設定し、図９のステップＳ１２６へ進む。
【００４８】
（へ）一方、図６のステップＳ１０８において、使用者レベル１の条件を満たさない場合、図８のステップＳ１２２において、使用者決定部４０は、上述した使用者レベル３の条件を満たすか否かを判定する。使用者レベル３の条件を満たさない場合は、図９のステップＳ１２６へ進む。一方、使用者レベル３の条件を満たす場合は、ステップＳ１２３において、使用者決定部４０は、上述した使用者レベル６の条件を満たすか否かを判定する。使用者レベル６の条件を満たさない場合は、ステップＳ１２４において、当該使用者を使用者レベル３に設定する。一方、使用者レベル６の条件を満たす場合は、ステップＳ１２５において、当該使用者を使用者レベル６に設定し、図９のステップＳ１２６へ進む。
【００４９】
（ト）図９のステップＳ１２６において、管理者決定部３０は、管理者が変更されたか否かを判定する。管理者が変更されていない場合は処理をせず、管理者が変更されている場合は、ステップＳ１２７において、管理者変更ビットを１にする。続いて、使用者決定部４０は、ステップＳ１２８において、使用者決定部４０は、属性データベースの使用者の項目を参照し、設定した使用者及び使用者レベルと属性データベースの使用者及び使用者レベルとを比較し、使用者の変更があるか否かを判定する。使用者の変更がない場合は処理をせず、使用者の変更がある場合は、ステップＳ１２９において、使用者変更ビットを１にする。続いて、ステップＳ１３０において、管理者変更ビットもしくは使用者変更ビットのどちらかが１か否かを判定する。管理者変更ビット及び使用者変更ビットのどちらも１でない場合は開始に戻る。一方、管理者変更ビット、使用者変更ビットのどちらかもしくは両方が１の場合は、変更結果を属性データベースに登録する。
【００５０】
（作用及び効果）
本実施形態に係る管理システム及び管理方法は、無線タグが付与されている物品の所有者情報として管理者と使用者という２つの属性をデータベースに設定することができる。このように複数種類の所有者に関わる情報を保持するため、物品の状況を正確に把握することができる。又、このデータベースを利用することにより、物品の状況に応じて適切なサービスを実施することができる。
【００５１】
例えば、他人に物品を貸しているなど、管理者が当該物品を所有していない場合に、使用者によって当該物品が捨てられそうになったり転売されそうになったりした際、管理者にその情報を通知することができる。
【００５２】
又、本実施形態に係る管理システム及び管理方法は、所定の無線タグリーダが無線タグを検出した場合、あるいは所定のセンサが無線タグを検出した場合、当該検出に基づいて、新たな管理者を決定することができる。このため、物品が購入されたり廃棄されたりした場合、新たな管理者を設定することができる。
【００５３】
又、本実施形態に係る管理システム及び管理方法は、所定の無線タグリーダによる検出、あるいは所定のセンサによる検出に基づき、使用者毎に物品との関係度合いを示す使用者レベルを設定し、使用者と使用者レベルを対応付けて保持することができる。このため、関係度合いを保持することにより、関係度合いに応じたサービスを実施することができる。例えば、物品の近くにいる人や物品に興味を持っていそうな人に当該物品に関する広告などを提供したり、使用者が他人の物品を所有し、それを落とした場合に、当該物品を落としたことを落とした人（使用者）に通知したりすることができる。
【００５４】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５５】
例えば、本実施形態において、物品に無線タグが付与された場合、登録部１０によって、管理者を登録すると説明したが、予め管理者が登録されている無線タグを当該物品に付与してもよい。あるいは、物品に無線タグが付与された場合、無線タグリーダ６０やセンサ２０１、２０２、２０３が自動的に管理システム１に情報を送信し、管理システム１が管理者を設定してもよい。
【００５６】
又、図４では、１の無線タグ識別子に１の管理者及び１の使用者が対応付けられているが、１の無線タグ識別子に複数の管理者及び複数の使用者が対応付けられてもよい。又、複数の使用者は、それぞれ異なる使用者レベルに設定されてもよいことは勿論である。
【００５７】
又、図５において、使用者レベル１〜６の関係について説明をしたが、使用者レベルの関係はこれに限られるわけではなく、使用者レベルの数も任意に設定可能である。
【００５８】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００５９】
【図１】本実施形態に係る管理システムの構成ブロック図である。
【図２】本実施形態に係る管理システムにおいて、管理者の登録を説明する模式図である。
【図３】本実施形態に係る管理システムにおいて、管理者の登録を行う際の画面例である。
【図４】本実施形態に係る管理システムの属性データベースの一例である。
【図５】本実施形態に係る管理システムにおいて、使用者レベルを説明する模式図である。
【図６】本実施形態に係る管理方法を示すフローチャートである（その１）。
【図７】本実施形態に係る管理方法を示すフローチャートである（その２）。
【図８】本実施形態に係る管理方法を示すフローチャートである（その３）。
【図９】本実施形態に係る管理方法を示すフローチャートである（その４）。
【符号の説明】
【００６０】
１  管理システム
１０  登録部
２０  情報取得部
３０  管理者決定部
４０  使用者決定部
５０  属性情報保持部
５０ａ  無線タグ識別子領域
５０ｂ  管理者領域
５０ｃ  使用者領域
５０ｄ  使用者レベル領域
６０、６１  無線タグリーダ
７０  登録者
８０  入力機器
１０１、１０２、１０３、１０４  無線タグ
２０１、２０２、２０３  センサ
【図１】
2005309844.tif 000003
【図２】
2005309844.tif 000004
【図３】
2005309844.tif 000005
【図４】
2005309844.tif 000006
【図５】
2005309844.tif 000007
【図６】
2005309844.tif 000008
【図７】
2005309844.tif 000009
【図８】
2005309844.tif 000010
【図９】
2005309844.tif 000011